(57)【要約】　　　（修正有）【課題】豚の居住する豚舎を、洗浄消毒作用のある無隔膜電解水を用いて、効率的且つ自動的に洗浄消毒する装置と、その安全性の高い効果的な使用方法を提供する。【解決手段】人や豚に安全性が高く消毒作用がある一定条件に適合する無隔膜電解水を用いて、豚舎１０と豚体（生体）を自動的に散布することによって、豚舎１０と豚体への内外部からの病原菌等微生物の侵入を抑制するとともに、悪臭の抑制、乾季の加湿、及び、夏季の冷房等の効果により、豚の居住環境を改善し、豚への薬剤使用の抑制と産肉の生産性向上に貢献し、また、糞尿処理の負荷を増加しない、豚舎１０と豚体の洗浄消毒の装置とその使用方法を特徴とする。【選択図】図１
2004097174.tif 000002
【特許請求の範囲】
【請求項１】
豚舎と豚体（生体）に洗浄消毒作用があり、散布による消毒作用の低下が少なく、豚体（生体）に安全性が高く、汚水の浄化に負荷のかからない、一定の条件に適合する無隔膜電解水を使用する洗浄消毒を特徴とする。
【請求項２】
豚舎と豚体（生体）に、この無隔膜電解水を安全で効果的に自動散布するため、既存の細霧冷房用パイプライン装置、叉は、新設のパイプライン装置に、一定形式のノズルを一定方式で設置する装置を特徴とする。
【請求項３】
豚舎と豚体（生体）を、同時に、安全で効果的に自動洗浄消毒をするため、この無隔膜電解水を一定時間間隔で散布する洗浄消毒法を特徴とする。
【請求項４】
請求項１，２，３に示す豚舎と豚体（生体）は、同様の目的と方法で、牛舎と牛体（生体）にも活用できる洗浄消毒法を特徴とする。
【発明の詳細な説明】
【０００１】
［発明の属する技術分野］
本発明は、豚舎と豚体（生体）の洗浄消毒に、人や豚に安全性が高く、消毒作用のある、一定条件に適合する無隔膜電解水を、その消毒作用や安全性を維持しながら自動的に洗浄消毒する装置と、その効果的な使用法に関するものである。
【０００２】
［従来の技術］
従来の豚舎と豚体（生体）の噴霧消毒法は、消毒薬（逆性石鹸等）を使用するものである。また、２槽電解槽で製造した強酸性電解水の試験報告もあるが、有効塩素が噴霧時に不安定で失活しやすい。その他、オゾン水を含む消毒薬は、豚に毒性が強く、豚舎と豚体（生体）の同時洗浄消毒には適正がない。
【０００３】
［発明が解決しようとする課題］
豚舎と豚体（生体）の同時洗浄消毒を、現在の家畜家禽用消毒薬に頼らないこと。消毒薬の適正希釈等の手間が必要でなく、何時でも自由に自動的に使用できること。消毒薬使用による糞尿処理の活性汚泥法における、処理効率の悪化を解決すること。
【０００４】
［課題を解決するための手段］
消毒作用が高く、人や豚に安全性の高い一定条件に適合する無隔膜電解水を、豚舎と豚体（生体）の洗浄消毒に使用すること。
この一定条件に適合する無隔膜電解水とは、「電解水のうち無隔膜電解水によるもので、かつ、一定の条件に適合するものは、未指定の添加物を使用する場合には該当せず、食品衛生法に基づき定められている「次亜塩素酸ナトリウム」を希釈したものと同等であると考えられること。」（平成１１年６月厚生省食品化学課長名の通達）。一定の条件とは、この通達で６項目にわたり明記された条件を指す。
また、洗浄消毒ための電解水の散布後は、豚舎の洗浄が容易で、活性汚泥法による糞尿処理の負荷にならない電解水の使用方法であること。
【０００５】
［発明実施の形態］
本発明は、一定条件に適合する無隔膜電解水を、安全、安定的に豚舎と豚体（生体）を自動的に定時定量で洗浄消毒するため、この電解水の遮光黒色貯水槽（３）から、豚舎（９）内部に取り付けられたパイプライン（８）（２２）（２５）へポンプ（４）で送水され、そのパイプライン（８））（２２）（２５）の各豚房（９）の上部に切替バルブ（１１）を持ち、消毒力を失活させないため一定の電解水を散布できるノズル（７）を図１のように装備した装置である。
【０００６】
前項の散布ノズル本体（１３）（１４）（２３）（２４）の形式は、図３のように、一定粒子で一定量の電解水を、豚舎（１０）の一豚房（９）一面に、一定角度で散布できる２個以上のノズルをパイプラインに設置したものである。
【０００７】
前項の散布ノズル本体（１３）（１４）（２３）（２４）の設置は、図３のように、床面から１．８から２．５ｍ程の高さ（２６）に、図２のように、ノズル角度可変部（１９）（２０）（２１）とノズル受部（１７）（１８）で繋ぐノズル先端噴口可変部（１５）（１６）の操作により、豚房床（２７）に垂直方向に散布できるようにしたものである。
【０００８】
無隔膜電解水は、金属の腐食性があるので、上記のノズル（７）や送水ポンプ（４）等を腐食性の少ない金属か非金属のものにすることが好ましい。
【０００９】
無隔膜電解水は低温で凍結するので、冬季の凍結する地域においては、この装置に保温対策を講ずることが好ましい。
【００１０】
また、本発明は、一定条件に適合する無隔膜電解水を、安全で安定的に豚舎と豚体（生体）を自動的に定時定量で洗浄消毒するため、上記の装置を活用して、人と豚に安全性が高く、豚舎と豚体（生体）の消毒に効果があり、糞尿処理に負荷のかからない使用方法である。
【００１１】
無隔膜電解水の過剰連続散布で発生する塩素ガス臭による、人や豚への不快感や汚水増加を防止し、且つ、一定の消毒作用を維持するため、一定時に一定間隔で、無隔膜電解水を散布する方法、例えば、３０分間毎に１回１分間の散布を３時間行った後、５
時間後、１０時間後各々１回づつ１分間散布するような、間歇散布法である。
【００１２】
［実用例］
この装置を新設する場合の実用例について、図１を参照して説明すると、水道水又は井水を原水入水部（６）から無隔膜電解装置（１）に供給する。同時に添加液タンク（２）の電解質（ＮａＣｌ溶液等）を無隔膜電解装置に供給する。無隔膜電解装置で原水と電解質が希釈混合された後、無隔膜電解槽内で直流電気分解され、強い消毒力を持つ水となる。この水は貯水タンク（３）に貯水され、送水ポンプ（４）にてパイプライン（８）（２２）（２５）に送り、ノズル（７）（本図では１６箇所×２個＝３２個）より、豚房（９）、豚体を含む豚舎（１０）全体に、適時適量、制御盤（５）により散布される。この方法は、豚舎と豚体（生体）を同時に洗浄消毒することが可能であり、冷房、加湿も合わせて行うことができる。
【００１３】
既存または新設の細霧冷房のパイプライン装置を、この散布装置に改修する場合の実用例について、図４を参照して説明すると、主要な修繕箇所は、無隔膜電解槽（１）の設置（Ａ）とノズル部分の改修（Ｂ）である。ノズル部分の改修は、細霧冷房のパイプライン装置に使用するノズルは一般的に水平方向に設置されているので、ノズル角度を変更する必要がある。また、噴射口の形状が細霧状になる設計であるため、ここで使用する無隔膜電解水の消毒洗浄能力を低下させるので、噴射口またはノズル本体（１３）（１４）（２３）（２４）の変更が必要である。
さらに、豚房内に全面均一に散布し、洗浄消毒能力を損なわないようにするために、２個以上のノズル数にすることを必要とする。
【００１４】
パイプラインに設置するノズルの形式の実用例について、図２を参照して説明すると、ノズル本体（１３）（１４）（２３）（２４）はノズル先端噴口可変部（１５）（１６）を備えることが好ましく、また、ノズルの噴射角度が調整できるノズル角度可変部（１９）（２０）（２１）を備えることが望ましい。噴射パターンは一般名称では充円すいタイプ、またはフルコーンタイプが有効である。
【００１５】
一定条件に適合する無隔膜電解水による洗浄消毒装置の主要構成は次のようなものである。
2004097174.tif 000003
【００１６】
［発明の効果］
本発明は、以上説明したような形態で実施され、以下に記載されるような効果を奏する。
【００１７】
一定条件に適合する無隔膜電解水（例えば、Ｂ．ＣＲＯＯＮ水）は図５で示すように、一定のノズルの条件で、ノズルから豚舎床（２７）や豚体の体表に到達するまでが一定距離で、強酸性電解水が著しく低下するのに対し、有効塩素が高濃度に維持された。
2004097174.tif 000004
【００１８】
一定条件に適合する無隔膜電解水は図２で示すように、一定のノズルの条件で豚の飼育中豚舎の豚床面（２７）に散布した場合、水道水に対し、逆性石鹸消毒水（商品の５００倍希釈）と共に有意（Ｐ＜０．０５）に細菌を抑制していることが認められ、長期（１０週間）に渡り有効であった。
2004097174.tif 000005
【００１９】
一定条件に適合する無隔膜電解水（例えばＢ．ＣＲＯＯＮ水）は、一定のノズル条件で飼育中の豚に散布した場合、長期（１０週間）に渡り体表面の細菌を抑制した（図７）。
2004097174.tif 000006
【００２０】
一定条件に適合する無隔膜電解水を、豚舎と豚体（生体）を自動的に定時定量で洗浄消毒し、子豚から仕上期までの飼養した。発育成績（図８，表１）、屠体成績（表２）、および、種豚候補豚の作出成績（図９）は、従来法と比べ良好であった。
2004097174.tif 000007
2004097174.tif 000008
【図面の簡単な説明】
【図１】本発明の豚舎における実施形態図である。
【図２】ノズルの取付図である。
【図３】ノズルの散布図である。
【図４】既設細霧冷房装置の改修図である。
【符号の説明】
（１）　　　　　無隔膜電解装置
（２）　　　　　添加液タンク
（３）　　　　　貯水タンク
（４）　　　　　送水ポンプ
（５）　　　　　制御盤
（６）　　　　　原水入水部
（７）　　　　　ノズル
（８），（２２），（２５）　　　パイプライン
（９）　　　　　豚房
（１０）　　　　豚舎
（１１）　　　　切替バルブ
（１３），（１４），（２３），（２４）　ノズル本体
（１５），（１６）　　　ノズル先端噴口可変部
（１７），（１８）　　　ノズル受部
（１９），（２０），（２１）　　ノズル角度可変部
（２６）　　　　パイプライン高さ寸法
（２７）　　　　豚房床
【図１】
2004097174.tif 000009
【図２】
2004097174.tif 000010
【図３】
2004097174.tif 000011
【図４】
2004097174.tif 000012